(57)【要約】【課題】  記録紙の引戻しによる紙詰まりや、無駄な余白部分が発生することをできるだけ回避可能な印刷装置を提供する。【解決手段】記録紙にロール紙を使用し、印刷時は一旦記録紙を引き戻して先端余白調整を行う機能を有する印刷装置において、記録紙装填後の初回の印刷は記録紙の引き戻しを行わずに印刷を開始するように設定するフラグを格納する記憶部と、ロール紙を交換する際に開閉する蓋部と、該蓋部の開閉を検出する開閉検出手段と、上記蓋部が開いたことを上記開閉検出手段が検出したと判定すると、上記記憶部に格納されたフラグをオンし、記録紙装填後の初回の印刷は前記記憶部に格納されたフラグのオンに基づいて、記録紙の引き戻しを行わずに印刷を開始するように制御する制御部と、を有する。【選択図】        図２
2006264215.tif 000002
【特許請求の範囲】
【請求項１】
記録紙にロール紙を使用し、印刷時は一旦記録紙を引き戻して先端余白調整を行う機能を有する印刷装置において、
記録紙装填後の初回の印刷は記録紙の引き戻しを行わずに印刷を開始することを特徴とする印刷装置。
【請求項２】
記録紙にロール紙を使用し、印刷時は一旦記録紙を引き戻して先端余白調整を行う機能を有する印刷装置において、
ロール紙を交換する際に開閉する蓋部と、該蓋部の開閉を検出する開閉検出手段と、上記蓋部が開いたことを上記開閉検出手段が検出したと判定すると、記録紙装填後の初回の印刷は記録紙の引き戻しを行わずに印刷を開始するように制御する制御部と、を有することを特徴とする印刷装置。
【請求項３】
記録紙にロール紙を使用し、印刷時は一旦記録紙を引き戻して先端余白調整を行う機能を有する印刷装置において、
記録紙装填後の初回の印刷は記録紙の引き戻しを行わずに印刷を開始するように設定するフラグを格納する記憶部と、ロール紙を交換する際に開閉する蓋部と、該蓋部の開閉を検出する開閉検出手段と、上記蓋部が開いたことを上記開閉検出手段が検出したと判定すると、上記記憶部に格納されたフラグをオンし、記録紙装填後の初回の印刷は前記記憶部に格納されたフラグのオンに基づいて、記録紙の引き戻しを行わずに印刷を開始するように制御する制御部と、を有することを特徴とする印刷装置。
【請求項４】
請求項３記載の印刷装置であり、前記制御部は、記録紙装填後の初回の印刷が正常に終了したと判定すると、以降の印刷は、記録紙の引き戻しを行い印刷を開始するように制御することを特徴とする印刷装置。
【発明の詳細な説明】
【技術分野】
【０００１】
本発明は、記録紙にロール紙を使用し、排出済み記録紙を手切りする切取り機構を有し、印刷時は一旦記録紙を引き戻して先端余白調整を行う機能を有する印刷装置に関する。
【背景技術】
【０００２】
従来の記録紙にロール紙を使用し、排出済み記録紙を手切りする切取り機構を有し、印刷時は一旦記録紙を引き戻して先端余白調整を行う機能を有する印刷装置（例えば、印刷機能を有するファクシミリ装置）では、印刷開始前に記録紙を一旦引き戻すため、その調整するための余白部分を確保する必要があり記録紙の装填時には印刷時の引き戻しに必要な寸法分の記録紙を先に送り出す、或いは記録紙の先端を正確に検出する機能を備え記録紙の待機位置を制御する等の処理を行っている。
【０００３】
このように、記録紙を一旦引き戻す技術は、例えば特許文献１に記載されている。
【特許文献１】特開平９−２６１４０６号公報
【発明の開示】
【発明が解決しようとする課題】
【０００４】
従来の技術では記録紙切取り機構部と印字部が離れた位置に配置されている等の場合、そのまま印刷を開始すると記録紙の先端から印字開始位置まで無駄な余白が発生するため、印刷に先立って先端余白の調整が必要となる場合がある。
この場合には印刷開始前に記録紙が手作業で切り取り、記録紙先端を切取り機構部にセットするか、或いは記録紙の先端を正確に検知する機能を備え、記録紙を適正な印字開始位置まで一旦引き戻してから印刷を開始する必要があるが、仮に記録紙装填時の記録紙先端位置が引き戻しに必要な寸法に満たない状態で位置検出機能も無い場合には引き戻し過ぎによる記録紙の脱落が発生する問題がある。
また、装填した記録紙先端部にしわや傷みがある場合等は、引き込みによる記録紙閉塞が発生する問題がある。そこでこれらの問題点を防止するため記録装填部蓋の開閉を検知すると記録紙装填と認識し、装填時に十分な寸法を前以って送り出しておく方法が取られているが、記録紙装填部蓋と原稿読取部蓋が兼用になっている場合等では、原稿詰まり等の保守のために蓋を開けるだけで記録紙に無関係に再装填とみなされ紙送りが行われることから、無駄紙が発生してしまう問題点が生じる。
【課題を解決するための手段】
【０００５】
本発明は、このような課題を解決する為のものであり、記録紙にロール紙を使用し、排出済み記録紙を手切りする切取り機構を有し、印刷時は一旦記録紙を引き戻して先端余白調整を行う機能を有する印刷装置において、記録紙装填後の初回の印刷は記録紙の引き戻しを行わずに印刷を開始するものである。
請求項１記載の印刷装置は、記録紙にロール紙を使用し、印刷時は一旦記録紙を引き戻して先端余白調整を行う機能を有する印刷装置において、記録紙装填後の初回の印刷は記録紙の引き戻しを行わずに印刷を開始することを特徴とする。
請求項２記載の印刷装置は、記録紙にロール紙を使用し、印刷時は一旦記録紙を引き戻して先端余白調整を行う機能を有する印刷装置において、ロール紙を交換する際に開閉する蓋部と、該蓋部の開閉を検出する開閉検出手段と、上記蓋部が開いたことを上記開閉検出手段が検出したと判定すると、記録紙装填後の初回の印刷は記録紙の引き戻しを行わずに印刷を開始するように制御する制御部と、を有することを特徴とする。
請求項３記載の印刷装置は、記録紙にロール紙を使用し、印刷時は一旦記録紙を引き戻して先端余白調整を行う機能を有する印刷装置において、記録紙装填後の初回の印刷は記録紙の引き戻しを行わずに印刷を開始するように設定するフラグを格納する記憶部と、ロール紙を交換する際に開閉する蓋部と、該蓋部の開閉を検出する開閉検出手段と、上記蓋部が開いたことを上記開閉検出手段が検出したと判定すると、上記記憶部に格納されたフラグをオンし、記録紙装填後の初回の印刷は前記記憶部に格納されたフラグのオンに基づいて、記録紙の引き戻しを行わずに印刷を開始するように制御する制御部と、を有することを特徴とする。
請求項４記載の印刷装置は、請求項３記載の印刷装置であり、前記制御部は、記録紙装填後の初回の印刷が正常に終了したと判定すると、以降の印刷は、記録紙の引き戻しを行い印刷を開始するように制御することを特徴とする。
【発明の効果】
【０００６】
請求項１〜３に記載の発明によると、特別に記録紙位置検出機能が無く、記録紙装填状況が不確定な状態であっても印刷時の記録紙閉塞や無駄紙を最小限に抑えることができるという効果を奏する。
請求項４記載の発明によると、特別に記録紙位置検出機能が無く、記録紙装填状況が不確定な状態であっても印刷時の記録紙閉塞や無駄紙を最小限に抑えることができるだけでなく、２回目の印刷以降は、記録紙の引戻しを行う為、無駄な余白部分を抑えて記録することが可能である。
【発明を実施するための最良の形態】
【０００７】
第１図は、本発明を印字部を搭載したファクシミリ装置に適用してなる実施例の全体構成を示すブロック図である。
図1において、ファクシミリ機能制御装置１は、ＲＯＭ（Ｒｅａｄ  Ｏｎｌｙ  Ｍｅｍｏｒｙ）２と接続され、ＲＯＭ２に予め格納されている制御プログラムなどのプログラムに基づいて動作し、後述する各回路の動作を制御する。
ファクシミリ機能制御装置１と各回路はバスにより接続されている。また、このファクシミリ機能制御装置１は、上記ＲＯＭ２に格納されているプログラムに基づいて、以下で説明する各種ファクシミリ機能の動作を行う。すなわち、ＲＯＭ２から読み出されたプログラムに基づき、ファクシミリ機能である符号化・復号化処理、モデムの変復調処理などの処理動作を行う各演算処理が行われる。
【０００８】
ファクシミリ機能制御装置１に接続される電話帳メモリ３は、不揮発性メモリで構成され、例えば、書き換え可能なＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）からなり、相手先の氏名と、この氏名に対応する電話番号及び／或いはＦＡＸ番号とを複数件分、５０音別あるいはＡＢＣ順で格納される。
【０００９】
ファクシミリ機能制御装置１に接続される操作部４は、ダイヤル入力や文字入力を行う為のテンキー、上記電話帳メモリ３に格納された相手先を選択する為の選択キー（上・下キー）、通話目的の発呼や、ファクシミリ送信開始指示や、後述する音声認識の動作で使用する２つのフラグ等を設定するための各種ファンクションキーを有する。この操作部４を用いて、ユーザが相手先の氏名と、この氏名に対応する電話番号及び／或いはＦＡＸ番号を入力し、ファクシミリ機能制御装置１は、入力されたこれらデータを電話帳メモリ３に与え、電話帳メモリ３にこれらデータが格納され保存される。
【００１０】
ファクシミリ機能制御装置１に接続される表示部５は、例えば、液晶表示装置からなり、上記操作部４から入力された電話番号や、上記電話帳メモリ３に格納された相手先氏名や、該相手先氏名に対応する電話番号及びファックス番号等を表示する。尚、着信時に発呼側から電話番号の情報が送られてきた際には、送られてきた電話番号又は、この電話番号が上記電話帳メモリ３に格納されているときには上記電話番号に対応する相手先氏名を表示する。
【００１１】
ファクシミリ機能制御装置１に接続される印字部６は、サーマルプリンタ、インクジェットプリンタやレーザプリンタで構成され、送信されてきたイメージデータあるいは後述する読取部７で読み取ったイメージデータを印字し、出力する。
【００１２】
ファクシミリ機能制御装置１に接続される読取部７は、例えばＣＣＤ（Ｃｈａｒｇｅ  Ｃｏｕｐｌｅｄ  Ｄｅｖｉｃｅ）等からなる光学的読取装置を有しており、原稿上に描かれた画情報を読み取ると共に、読み取るべき原稿の有無（読取位置への原稿のセット状態）を検出する。
【００１３】
ハンドセット８は、マイク８１とスピーカ８２とで構成され、ハンドセット８はクロスポイントＩＣ回路１１を介して回線に接続される。このハンドセット８のオンフック、オフフックは、フック検出部１８で検出する。ここで、オンフック状態とは、ハンドセット８を装置にセットした状態、オフフック状態とはハンドセット８を装置から取り外した状態をいう。更に、この実施例においては、ハンズフリー機能による通話を行う場合には、ハンズフリー機能を使用するためのファンクションキーを押下したときにもオフフック状態という。
フック検出部１８は、ハンドセット８のオンフック、オフフック状態を検出し、そのフック状態をファクシミリ機能制御装置１に知らせる。ファクシミリ機能制御装置１は、フック検出部１８からの出力に基づいて、リレー駆動回路１３を制御し、スイッチ１２の切り替えを制御して回線を閉結または開放させる。
【００１４】
クロスポイントＩＣ回路１１は、ファクシミリ機能制御装置１の制御に基づいて、回線、ハンドセット８、ＤＡＣ回路１５間の信号経路の切り替えを行うものである。このクロスポイントＩＣ回路１１は、例えば、ハンドセット８からの音声入力をＤＡＣ回路１５を介してファクシミリ機能制御装置１内に入力したり、ハンドセット８からの音声信号を回線に与えたり、また、回線からの音声信号をハンドセット８へ与えるなど信号経路の切り替えを行う。
【００１５】
ＤＡＣ回路１５は、クロスポイントＩＣ回路１１から与えられたアナログの音声信号をデジタル信号に変換して、ファクシミリ機能制御装置１に与え、また、ファクシミリ機能制御装置１からのデジタル信号をアナログ信号に変換し、クロスポイントＩＣ回路１１を介して、ハンドセット８のスピーカ８２や本体のスピーカ１６へアナログ音声信号を与える。本体に設けられたスピーカ１６、マイク１７は、操作部４のキー操作により、ハンズフリー動作による送受話動作を行う場合に用いられる。ハンズフリー動作による送受話動作は、回線から入力された音声信号が、スイッチ１２クロスポイントＩＣ回路１１、ＤＡＣ回路１５を経てファクシミリ機能制御装置１に入力され、ファクシミリ機能制御装置１内のアンプで増幅され、ＤＡＣ回路１５クロスポイントＩＣ回路１１を介してスピーカ１６から出力される。一方、マイク１６から入力された音声信号は、クロスポイントＩＣ回路１１、ＤＡＣ回路１５を経てファクシミリ機能制御装置１内に入力され、ファクシミリ機能制御装置１内でゲインを調整した後、ＤＡＣ回路１５、クロスポイントＩＣ回路１１、スイッチ１２を介して回線へと出力される。
記憶部９は、書き換え可能な記憶装置で構成され、例えばＳＲＡＭ（Ｓｔａｔｉｃ  Ｒａｎｄｏｍ  Ａｃｃｅｓｓ  Ｍｅｍｏｒｙ）などの半導体メモリからなり、後述する引戻し禁止フラグを格納する。この引戻し禁止フラグとは、印刷開始時に記録紙引戻し処理により印刷開始位置を調整するか否かを制御するフラグであり、このフラグがオンに設定されている場合は記録紙を引戻すことなくそのまま印刷を開始するためのものである。印写系状態判定により記録紙が切れたときに設定され、印刷処理により１ページ分の印刷が正常に終了した時点で解除（オフに設定）される。
【００１６】
着信検出部１４は、回線からの着信信号の有無を検出し、その結果をファクシミリ機能制御装置１に通知する。
【００１７】
上記したように、クロスポイントＩＣ回路１１は、ファクシミリ機能制御装置１の制御の下でハンドセット８をスイッチ１２側又は上記ＤＡＣ回路１５側へ切換接続する。
【００１８】
又、ファクシミリ機能制御装置１には、記録紙センサ２０と蓋開閉センサ２１が接続されている。
図２は、本実施例装置であるファクシミリ装置の構造を示したものである。
図３は、図２に示すファクシミリ装置の記録紙切取り後の記録紙待機位置を示した図であり、図４は、印刷開始時の記録紙引戻し位置の一例を示したものである。
【００１９】
図５及び図６は、本実施例装置の動作を示すフロー図である。
先ず、ユーザが記録紙を装填する手順について説明する。図２において、原稿読取り部蓋１１０及び記録紙装填部蓋１２０を開け、記録紙ロール１００を印字部１３０の隙間を通して記録紙切取り機構部１４０まで引き出す。
このとき原稿読取り部蓋１１０を開けると蓋開閉センサ２１が検知され、同時に印字部１３０には記録紙が通る隙間が開く機構となっており、この隙間に記録紙が挿入されると記録紙センサ２０が記録紙を検知する。
記録紙装填後は蓋を閉じ、記録紙切取り機構部１４０のエッジに沿って記録紙を引っ張ることにより図３の位置で記録紙を手切りすることができる。
尚、印刷２回目以降の先頭ページ開始時には図４のように記録紙を適正位置まで引き戻して印刷を開始するものである。
次に本実施例装置の動作について図５及び図６のフローチャートを用いて説明する。図５において、ファクシミリ装置は待機中に各種機器状態判定と共に印刷系状態判定処理を実行し、蓋の開閉等の印刷系状態判定を行う。
先ず図５のＳ１ステップにおいて、ファクシミリ機能制御装置１は、蓋開閉センサ２１からの信号に基づき、操作部兼原稿読取り部蓋１１０が開いていると判定するとＳ２ステップへ処理を進め、そうでなければＳ３ステップへ処理を進める。
Ｓ２ステップでは、ファクシミリ機能制御装置１は、表示部５に、例えば「蓋が開いています」と表示し、蓋１１０が開いていることをユーザに警告して処理を終了する。
Ｓ３ステップでは、ファクシミリ機能制御装置１は、ファクシミリ機能制御装置１が、記録紙センサ２０からの信号に基づき、記録紙がセットされてないと判定するとＳ４ステップへ処理を進め、セットされていると判定すれば処理を終了する。
Ｓ４ステップでは、ファクシミリ機能制御装置１は、表示部５に、例えば「記録紙点検」と表示し、記録紙を点検するようにユーザに警告する。
続くＳ５ステップでは、ファクシミリ機能制御装置１は、記憶部９に格納されている引戻し禁止フラグをオンとし、処理を終了する。
次に、図６に示す印字処理の動作について説明する。
先ず、ファクシミリ機能制御装置１は、記録紙センサ２０からの信号に基づいて、記録紙がセットされていると判定するとＳ７ステップへ処理を進め、そうでなければＳ１４ステップへ処理を進める。
Ｓ１４ステップでは、ファクシミリ機能制御装置１は、表示部５を制御することにより、表示部５に例えば、「記録紙点検」と表示し、処理を終了する。
Ｓ７ステップでは、ファクシミリ機能制御装置１は、記憶部９に格納されている引戻し禁止フラグがオンに設定されていると判定するとＳ９ステップへ処理を進め、そうでなければＳ８ステップへ処理を進める。
【００２０】
Ｓ８ステップでは、ファクシミリ機能制御装置１は、印字部６を制御することにより、記録紙を所定の位置まで引戻し、先端余白を適正値に調整した後、Ｓ９ステップへ処理を進める。
【００２１】
Ｓ９ステップでは、ファクシミリ機能制御装置１は、印字部６を制御することにより、１頁印刷と区切り線印刷を行う。
【００２２】
このように、上記Ｓ７〜Ｓ９ステップにおいて、引戻しフラグがオンに設定されていた場合は、記録紙装填後の初回印刷であると判断し、記録紙引戻し処理を実行せず、記録紙はそのままの位置から１ページ印刷と区切り線印刷を行う。又、Ｓ７ステップにおいて、引戻し禁止フラグがオフになっている場合は、記録紙装填後に印刷が行われたもので記録紙先端が不確定な状態ではないと判断し、印刷に先立ち記録紙の引戻しを行い先端余白を適正値に調整した後、１ページ印刷と区切り線印刷を行う。
【００２３】
続くＳ１０ステップでは、ファクシミリ制御装置１は、１頁印刷と区切り線印刷が正常に終了したと判定するとＳ１１ステップへ処理を進み、そうでなければ、Ｓ１４ステップへ処理を進める。
【００２４】
Ｓ１１ステップでは、ファクシミリ制御装置１は、記憶部９に格納されている引戻し禁止フラグをオフにし、Ｓ１２ステップへ処理を進める。
【００２５】
Ｓ１２ステップでは、ファクシミリ制御装置１は、記憶部９に格納されている印刷中の画像データに、次に印刷するデータがあるか否かを判定し、あると判定するとＳ９ステップへ処理を戻し、そうでなければＳ１３ステップへ処理を進める。
【００２６】
Ｓ１３ステップでは、ファクシミリ制御装置１は、印字部６を制御することにより、記録紙を送り出し、処理を終了する。
【００２７】
このように、Ｓ１０〜Ｓ１３ステップにおいて、ファクシミリ制御装置１は、正常終了判定では１ページ印刷と区切り線印刷が正常に終了したか否かを判定し、異常と判断した場合には記録紙点検表示を行い処理を終了するが、正常終了と判断した場合には次に引戻し禁止フラグ解除に進みフラグを解除し、次回からの記録紙引戻しを許可する。
印刷がマルチページの場合には、ファクシミリ制御装置１は、次ページ有り判断により続くページの印刷のためＳ９ステップに戻るが、この場合には先頭ページではないため引戻しフラグ判定は必要としない。印刷終了が最終ページであった場合には記録紙送出しにより記録紙が記録紙切取り機構部２のエッジの外に出て切取り可能となる位置まで記録紙の送出しを実行し処理を終了する。
【００２８】
このように、本実施例装置では、記録紙を装填する場合は記録紙装填部蓋１２０を開け、記録紙先端を切取り機構部１４０外側まで引き出した後、記録紙装填部蓋１２０を閉じる。
このとき蓋開閉センサ２１により、蓋が開かれ記録紙が印字部を通過した後、再び蓋５が閉じられたことを順次検知した場合は、記録紙が装填されたと認識し、この後の初回の印刷に限り、先端位置や傷み状態に関わらず記録紙を引き戻すことなくそのまま印刷開始し、原稿印刷終了後は最終端が切取り機構部外部に排出される位置に達するまで余分に記録紙を送り出す。本動作によりページ終端は切取り機構部まで達するため手切りが可能となる。その結果、初回の１ページ目は先端に余白が付いた状態での印刷が行われるが、記録紙引き戻しによる不具合は発生しない。次に二枚目以降のページが印刷される場合は記録紙蓋と印字部のセンサに変化が無いため、その後に記録紙が動かされたことが無いと判断し、前回印刷終了時に印刷原稿終端から切取り位置まで余分に送り出した分の記録紙を引き戻すことにより、先頭書き出し位置を適正に調整し印刷を開始することができる。
以上説明したように、本実施例装置は、記録紙にロール紙を使用し、排出済み記録紙を手切りする切取り機構を有し、印刷時は一旦記録紙を引き戻して先端余白調整を行う機能を有するファクシミリ装置において、記録紙装填後の初回の印刷は記録紙の引き戻しを行わずに印刷を開始することにより、特別に記録紙位置検出機能が無く、記録紙装填状況が不確定な状態であっても印刷時の記録紙閉塞や無駄紙を最小限に抑えることができる。
【産業上の利用可能性】
【００２９】
記録紙にロール紙を使用し、排出済み記録紙を手切りする切取り機構を有し、印刷時は一旦記録紙を引き戻して先端余白調整を行う機能を搭載するものであれば、ファクシミリ装置といった印刷装置を搭載した通信装置にも適用可能である。
【図面の簡単な説明】
【００３０】
【図１】本実施例装置のブロック図である。
【図２】本実施例装置の主要部分を示す図である。
【図３】本実施例装置の主要部分を示す図である。
【図４】本実施例装置の主要部分を示す図である。
【図５】本実施例装置の動作を示すフロー図である。
【図６】本実施例装置の動作を示すフロー図である。
【符号の説明】
【００３１】
１  ファクシミリ機能制御装置
６  印字部
９  記憶部
２０  記録紙センサ
２１  蓋開閉センサ
１００  記録紙ロール
１１０  原稿読取部蓋
１２０  記録紙装填部蓋
１３０  印字部
１４０  記録紙切取り機構部
【図１】
2006264215.tif 000003
【図２】
2006264215.tif 000004
【図３】
2006264215.tif 000005
【図４】
2006264215.tif 000006
【図５】
2006264215.tif 000007
【図６】
2006264215.tif 000008